(57)【特許請求の範囲】
【請求項１】
挿入部の先端に設けられた先端部本体の先端面が上記先端部本体の軸線方向に対して斜めに形成され、その斜面に観察窓と照明窓とが並んで配置された斜視型内視鏡において、
上記照明窓の近傍であって上記照明窓からみて上記観察窓とは反対側の部分に、上記斜面の表面から前方に突出する突起を設け、上記突起の少なくとも上記照明窓に面する側の表面に反射防止処理を施したことを特徴とする斜視型内視鏡の先端部。
【請求項２】
上記先端部本体の外周を囲む電気絶縁材料からなる先端キャップが設けられていて、上記突起が上記先端キャップを局部的に上記斜面の表面より突出させて形成されている請求項１記載の斜視型内視鏡の先端部。
【請求項３】
上記突起が、上記斜面の表面から０．５〜３ｍｍの高さ突出している請求項１又は２記載の斜視型内視鏡の先端部。
【請求項４】
上記突起が、上記斜面の表面から１〜２ｍｍの高さ突出している請求項３記載の斜視型内視鏡の先端部。
【発明の詳細な説明】
【０００１】
【発明の属する技術分野】
この発明は、先端部本体の先端面が斜めに形成された斜視型内視鏡の先端部に関する。
【０００２】
【従来の技術】
観察光軸が先端部本体の軸線方向に対して斜め前方に向けられている斜視型内視鏡においては、一般に、挿入部の先端に設けられた先端部本体の先端面が先端部本体の軸線方向に対して斜めに形成され、その斜面に観察窓と照明窓とが並んで配置されている。
【０００３】
【発明が解決しようとする課題】
斜視型内視鏡は、前方視型及び側視型のいずれのタイプの内視鏡でも観察しにくい部位を容易に観察することができ、用途に応じて重宝されている。
【０００４】
しかし斜視型内視鏡は、体腔内への挿入に際して、斜めに形成された先端面が粘膜面に接近したときに、観察画面にハレーションが発生して観察し難くなる欠点を有している。
【０００５】
これは、図５に略示されるように、照明窓９１から見て観察窓９２とは反対側の部分に粘膜面１００が極近接した時に、煌々と輝く照明窓９１がその粘膜表面に写って二次的な点光源２００になり、図６に示されるように、その点光源２００からの光が観察画面９３内に入ってハレーション３００を生じさせてしまうものと考えられる。
【０００６】
そこで本発明は、体腔内観察時にハレーションが発生し難くて、良好な観察画像を得ることができる斜視型内視鏡の先端部を提供することを目的とする。
【０００７】
【課題を解決するための手段】
上記の目的を達成するため、本発明の斜視型内視鏡の先端部は、挿入部の先端に設けられた先端部本体の先端面が上記先端部本体の軸線方向に対して斜めに形成され、その斜面に観察窓と照明窓とが並んで配置された斜視型内視鏡において、上記照明窓の近傍であって上記照明窓からみて上記観察窓とは反対側の部分に、上記斜面の表面から前方に突出する突起を設けたことを特徴とする。
【０００８】
なお、上記先端部本体の外周を囲む電気絶縁材料からなる先端キャップが設けられていて、上記突起が上記先端キャップを局部的に上記斜面の表面より突出させて形成されていてもよい。
【０００９】
また、上記突起が、上記斜面の表面から０．５〜３ｍｍ、さらに好ましくは１〜２ｍｍの高さ突出しているとよく、上記突起の少なくとも上記照明窓に面する側の表面に反射防止処理が施されているとよい。
【００１０】
【発明の実施の形態】
図面を参照して本発明の実施の形態を説明する。
図３は、内視鏡の挿入部の先端部分の平面図であり、図１はそのＩ−Ｉ断面図、図２はII−II断面図である。
【００１１】
遠隔操作によって屈曲自在に形成されて可撓管の先端部分に設けられた湾曲部２の先端に、例えばステンレス鋼製の先端部本体１が連結されており、先端部本体１の外周面には電気絶縁性のプラスチック材からなる先端キャップ３が接合されている。
【００１２】
先端部本体１の先端面は、例えば斜め上方に４５°傾いた斜面５に形成されている。その斜面５の下半部分には、観察窓６と照明窓７が隣接して左右に並んで配置されており、観察窓６の表面に向けて空気及び水を選択的に噴出させるためのノズル８が、観察窓６の上方に配置されている。９は、送気送水チューブである。
【００１３】
観察窓６の内側には、プリズム１１を含む対物光学系１２が配置されており、斜面５に垂直な方向である前方斜め４５°上方の被写体の像が、先端部本体１に内蔵された固体撮像素子１３の撮像面に対物光学系１２により結像され、固体撮像素子１３で電子信号に変換されて挿入部外に伝送される。なお、固体撮像素子１３に代えてイメージガイドファイバを用いた光学式の内視鏡であってもよい。
【００１４】
照明窓７の内側には、照明用ライトガイドファイババンドル１４の射出端部が配置されていて、照明用ライトガイドファイババンドル１４から射出された照明光が照明窓７を通過して被写体に照射される。
【００１５】
照明窓７の上方に形成された溝１５内には、処置具挿通チャンネル１６に挿通される処置具の先端部分の突出方向を変化させるための処置具起上台１７が、遠隔操作によって支軸１８を中心に回動するように収納されている。
【００１６】
先端キャップ３の先端面は、全体が先端部本体１の斜面５と同面に形成されている。ただし、先端キャップ３の先端面のうち照明窓７から見て観察窓６と反対側に位置する部分には、斜面５の表面より例えば１〜２ｍｍ突出した突起２０が形成されている。
【００１７】
したがって、体腔内において粘膜面が斜面５に極近接した場合でも、照明窓７から見て観察窓６と反対側の位置においては、粘膜面は突起２０に当接してそれ以上斜面５に接近しないので、ハレーションの原因となる位置に照明窓７が写らず、良好な内視鏡観察像を得ることができる。
【００１８】
したがって、突起２０の少なくとも照明窓７に面する側の表面には、艶消し黒色処理又は梨地処理等のような何らかの反射防止処理を施しておくことが望ましい。
【００１９】
また、斜面５の表面に対する突起２０の高さが低すぎてはハレーション防止効果が得られず、逆に高すぎると内視鏡挿入の支障になるので、斜面５の表面からの突起２０の高さは０．５〜３ｍｍ程度の範囲にあることが望ましい。
【００２０】
なお、突起２０は、照明窓７から見て観察窓６と反対側に位置する部分に設ける必要があるが、図４に示されるように、突起２０を照明窓７の下側部分まで延長して設けてもよい。ただし、観察窓６の近傍まで設けると、観察窓６表面への水滴付着を除去し難くなって観察画質を劣化させるので好ましくない。
【００２１】
【発明の効果】
本発明によれば、先端部本体の斜面に設けられた照明窓の近傍であって照明窓からみて観察窓とは反対側の部分に、斜面の表面から前方に突出する突起を設けたことにより、その位置では粘膜面が突起に当接して斜面にそれ以上接近することができないので、ハレーションの原因となる位置に照明窓の反射像ができず、ハレーションのない良好な観察画像を得ることができる。
【図面の簡単な説明】
【図１】本発明の第１の実施の形態の斜視型内視鏡の先端部のＩ−Ｉ線における側面断面図である。
【図２】本発明の第１の実施の形態の斜視型内視鏡の先端部のII−II線における側面断面図である。
【図３】本発明の第１の実施の形態の斜視型内視鏡の先端部の平面図である。
【図４】本発明の第２の実施の形態の斜視型内視鏡の先端部の側面断面図である。
【図５】従来の斜視型内視鏡の使用状態を示す略示図である。
【図６】従来の斜視型内視鏡の観察画面を示す略示図である。
【符号の説明】
１  先端部本体
３  先端キャップ
５  斜面
６  観察窓
７  照明窓
２０  突起
【図１】
0004017727.tif 000002
【図２】
0004017727.tif 000003
【図３】
0004017727.tif 000004
【図４】
0004017727.tif 000005
【図５】
0004017727.tif 000006
【図６】
0004017727.tif 000007